(57)【要約】【課題】  プラグソケットコネクターを提供する。【解決手段】  第１の構成部品（４ａ）に締結するための第１の接続片（６ａ）を含み、かつ第２の構成部品（４ｂ）に締結するための第２の接続片（６ｂ）を含み、かつ第１の接続片（６ａ）に接続するための第１の端部（１０）と、第２の接続片（６ｂ）に接続するための第２の端部（１２）とを含む中間片（８、５６）を含む、２つの構成部品（４ａ、４ｂ）のＨＦ信号伝送接続用のコネクター（２、２ａ、４４ａ、４４ｂ、４４ｃ）、特に２つの回路基板の互いに対するＨＦ信号伝送接続用の基板対基板用コネクターであって、接続を固定するための戻り止め接続を形成するために、第１の接続片（６ａ）および第２の接続片（６ｂ）は、それぞれ、第１の戻り止め手段（１４ａ、１４ｂ）を含み、第１の端部（１０）は、戻り止め手段がないように設計され、かつ第２の端部（１２）は、第１の戻り止め手段（１４ａ、１４ｂ）と相互作用するように設計された第２の戻り止め手段（１６）を含む、コネクター。
2018534733.tif 000002
【特許請求の範囲】
【請求項１】
２つの構成部品（４ａ、４ｂ）のＨＦ信号伝送接続用のコネクター（２、２ａ、４４ａ、４４ｂ、４４ｃ）であって、
前記第１の構成部品（４ａ）に締結するための第１の接続片（６ａ）；
前記第２の構成部品（４ｂ）に締結するための第２の接続片（６ｂ）；および
前記第１の接続片（６ａ）に接続するための第１の端部（１０）と、前記第２の接続片（６ｂ）に接続するための第２の端部（１２）とを含む中間片（８、５６）
を含み、
前記接続を固定するための戻り止め接続を形成するために、前記第１の接続片（６ａ）および／または前記第２の接続片（６ｂ）は、それぞれ、第１の戻り止め手段（１４ａ、１４ｂ）を含み、前記第１の端部（１０）は、戻り止め手段がないように設計され、かつ前記第２の端部（１２）は、前記第１の戻り止め手段（１４ａ、１４ｂ）と相互作用するように設計されている第２の戻り止め手段（１６）を含む、コネクター。
【請求項２】
前記第２の戻り止め手段（１６）が、前記中間片（８、５６）の外側面に環状溝を含む、請求項１に記載のコネクター（２、２ａ、４４ａ、４４ｂ、４４ｃ）。
【請求項３】
前記第１の戻り止め手段（１４ａ、１４ｂ）が弾性接触刃部を含む、請求項１または２に記載のコネクター（２、２ａ、４４ａ、４４ｂ、４４ｃ）。
【請求項４】
前記第１の接続片（６ａ）および／または前記第２の接続片（６ｂ）が、前記第１の戻り止め手段（１４ａ、１４ｂ）の撓む動きを制限する制限手段（１８）を含む、請求項１〜３のいずれか１項に記載のコネクター（２、２ａ、４４ａ、４４ｂ、４４ｃ）。
【請求項５】
前記制限手段（１８）が電気絶縁材料から製造されている、請求項４に記載のコネクター（２、２ａ、４４ａ、４４ｂ、４４ｃ）。
【請求項６】
前記制限手段（１８）が、シリンダー状の基本的な形状を有するハウジング（２０）の内壁によって形成されている、請求項４または５に記載のコネクター（２、２ａ、４４ａ、４４ｂ、４４ｃ）。
【請求項７】
前記コネクター（２、２ａ、４４ａ、４４ｂ、４４ｃ）が、内部導体（２２）および外部導体（２４）を含み、前記第１および／または前記第２の接続片（５２ａ、ｂ）は、前記内部導体と前記外部導体との間に絶縁部（３０）を形成する絶縁手段（７４）と、ハウジング（２０）とを含む、請求項１〜６のいずれか１項に記載のコネクター（２ａ）。
【請求項８】
前記絶縁体が、開口部（７６）を含む、実質的に蛇行する横断面を有する、請求項７に記載のコネクター（２ａ）。
【請求項９】
前記外部導体（２４）が第１の戻り止め手段（１４ａ、１４ｂ）を含む、請求項１〜８のいずれか１項に記載のコネクター（２、２ａ、４４ａ、４４ｂ、４４ｃ）。
【請求項１０】
前記第１および／または前記第２の接続片が、その外部導体において、ソケット、特にフィルターソケットに接続され得る、請求項１〜９のいずれか１項に記載のコネクター（２、２ａ、４４ａ、４４ｂ、４４ｃ）。
【請求項１１】
前記接続片（５４ａ、ｂ）の前記外部導体（２４）が、前記ソケット内に圧入されているかまたはねじ込まれている、請求項１〜１０のいずれか１項に記載のコネクター（２、２ａ、４４ａ、４４ｂ、４４ｃ）。
【請求項１２】
前記第１および／または前記第２の接続片が、外側の外部導体スリーブ（６８）と内側の外部導体（２４）とを含むツーピースの外部導体を含む、請求項１〜１１のいずれか１項に記載のコネクター（２、２ａ、４４ａ、４４ｂ、４４ｃ）。
【請求項１３】
前記第１および／または前記第２の接続片の中間片側の端部が、漏斗の形状に設計されていて、前記接続片は、特に、キャッチ漏斗（５８）を含む、請求項１０または１１に記載のコネクター（２、２ａ、４４ａ、４４ｂ、４４ｃ）。
【請求項１４】
第１の構成部品（４ａ）および第２の構成部品（４ｂ）を含むアセンブリであって、前記第１の構成部品（４ａ）および前記第２の構成部品（４ｂ）は、請求項１〜１３のいずれか１項に記載のコネクター（２、２ａ、４４ａ、４４ｂ、４４ｃ）によって互いに接続されている、アセンブリ。
【請求項１５】
前記第１の構成部品が回路基板として設計され、かつ前記第２の構成部品がフィルターまたは回路基板として設計されている、請求項１４に記載のアセンブリ。
【発明の詳細な説明】
【技術分野】
【０００１】
本発明は、２つの構成部品のＨＦ信号伝送接続用のコネクターに関する。
【背景技術】
【０００２】
例えば、２つの回路基板同士、２つのハウジング同士、または回路基板をハウジングになど、２つの構成部品を相互接続するために基板対基板用コネクターが用いられ、２つの回路基板上の電子部品がＨＦ信号の交換を介して、互いに通信できるようにする。
【０００３】
２つの回路基板間のそのような接続は、回路基板にしっかりと接続された２つの異なる同軸のプラグソケットコネクター、および２つの同軸のプラグソケットコネクターを接続するアダプター、いわゆるブレットによって、生成されることが知られている。このアダプターは、軸方向および半径方向の公差補償、および平行度公差の補償を可能にする。このために使用される典型的な同軸プラグソケットコネクターは、例えば、Ｐ−ＳＭＰ、ＳＭＰ、ミニＳＭＰ、ロングワイプ（ｌｏｎｇ−ｗｉｐｅ）ＳＭＰ、ＭＢＸ、ＳＭＰ−ＭＡＸまたはＦＭＣである。
【０００４】
特許文献１にも、ＨＦ信号が２つの回路基板間で伝送され得るようにするために用いられる同軸接触要素が説明されている。バネ荷重接続ピンの形態に設計される内部導体は、信号導体として使用される一方、内部導体を取り囲む外部導体は、リターン導体、および内部導体用のシールドの機能を果たす。外部導体は、縦方向に複数回スロットを入れられるスリーブ状の本体を含む。本体の非スロット付端部は、端面上に、回路基板の一方の接触領域に接触する接点を形成する。外部導体のスリーブは、本体上を変位可能に案内され、そのスリーブは、一方の端部において、端面上に、他方の回路基板の接触領域と接触する接点を形成する。予荷重されたバネが、本体とスリーブとの間に支持される。２つの回路基板が接続されている間、バネ接続ピンの形態に設計された内部導体の頭部、および外部導体のスリーブは、双方とも、特定のバネの予荷重が継続しているため、変位され、それにより、両回路基板の接触領域間の距離に関して取り得る公差にもかかわらず、しっかりとした接触圧がもたらされ得る。本体のスロット形成に起因して、この本体はまた、横方向にある程度の柔軟性を有し、これは、２つの接触領域が比較的大きな非平行度である場合に、それを確実に補償し得るものとする。
【０００５】
今までに公知の３部品の基板対基板接続、および特許文献１から公知の同軸接触要素の変形例は、構造、製造、および組み立ての点で比較的複雑である。そのうえ、軸方向公差を補償する能力は、比較的限定されている。さらに、接続されるべき接触領域の非平行度を補償する能力も、比較的限定されている。
【先行技術文献】
【特許文献】
【０００６】
【特許文献１】米国特許第６，７７６，６６８Ｂ１号明細書
【発明の概要】
【発明が解決しようとする課題】
【０００７】
上述の問題の観点から、本発明の目的は、２つの構成部品のＨＦ信号伝送接続用の改良型のコネクター、特に２つの回路基板のＨＦ信号伝送接続用の基板対基板用コネクターを提供することにある。
【課題を解決するための手段】
【０００８】
この目的は、請求項１に記載のコネクターによって達成される。本発明の好都合な改良形態は、従属請求項において説明する。
【０００９】
本発明による、２つの構成部品のＨＦ信号伝送接続用のコネクター、特に２つの回路基板のＨＦ信号伝送接続用の基板対基板用コネクターは、第１の構成部品に締結するための第１の接続片と、第２の構成部品に締結するための第２の接続片と、第１の接続片に接続するための第１の端部および第２の接続片に接続するための第２の端部を含む中間片とを含む。接続を固定するための戻り止め接続を形成するために、第１の接続片および第２の接続片は、それぞれ、第１の戻り止め手段を含み、第１の端部は、戻り止め手段がないように設計されており、かつ第２の端部は、第１の戻り止め手段と相互作用するように設計される第２の戻り止め手段を含む。この場合、ＨＦ（高周波）信号は、例えば、システムが無線データ伝送するために用いる信号であると理解される。電気工学では、９ｋＨｚから長波光（ＴＨｚ範囲）までの周波数範囲が、高周波と呼ばれる。
【００１０】
本発明は、２つの構成部品間の距離の公差補償は、中間片と接続片との間の接続の固定が２つの端部のうちの一方の端部においてのみ行われることで達成され得る一方で、他方の端部は、公差補償の方法で動くことができるという発見に基づいている。中間片が２つの異なる端部、具体的には、第２の戻り止め手段を含む１つの端部、および戻り止め手段のない端部を含むということに起因して、第１および第２の接続片は、構造的に同一とし得る。これにより、２つの構成部品の接続が単純化する。なぜなら、コネクター構成部品は、接続を生成するはんだ付けプロセス前に、構成部品に割り当てられる必要がなく、それにより、製造のための物流の複雑さを低減させるためである。さらに、構造的に同一の接続片を使用することによって、その製造コストを削減する。
【００１１】
しかしながら、第１の接続片の第１の戻り止め手段および第２の接続片の第１の戻り止め手段はまた、第２の戻り止め手段と係合するのに好適であることを前提に、異なり得ることが理解される。
【００１２】
本発明の好ましい一実施形態では、第２の戻り止め手段は、中間片の外側面に環状溝を含む。このようにして、第２の戻り止め手段は、特に簡単に、例えばプレスまたはフライス加工によって製造され得る。さらに、環状溝は角度位置を特定しないため、環状溝としての設計は、角度位置とは無関係な、接続片への中間片の接続を可能にする。このようにして、製造は、さらに単純化される。
【００１３】
本発明のさらに別の好ましい実施形態では、第１の戻り止め手段は、弾性接触刃部（ｒｅｓｉｌｉｅｎｔ  ｃｏｎｔａｃｔ  ｂｌａｄｅ）を含む。そのような弾性要素は、打ち抜き−曲げ（ｐｕｎｃｈｅｄ−ｂｅｎｔ）部品として、費用効果が高く製造され得る。
【００１４】
本発明のさらに別の好ましい実施形態では、第１の接続片および／または第２の接続片は、第１の戻り止め手段の撓む動きを制限する制限手段を含む。このようにして、例えば、弾性接触刃部として設計された第１の戻り止め手段の破損を生じる、例えば、過度な撓みから生じる過負荷に起因する第１の戻り止め手段への永久的な損傷が、信頼性高く防止される。
【００１５】
本発明のさらに別の好ましい実施形態では、制限手段は、電気絶縁材料から製造される。それゆえ、望まれない電流または信号が制限手段を通って流れるのを防止するための、追加的な保護手段は必要ではない。この場合、電気絶縁材料は、不導体であると理解され、１０−８Ｓ／ｍ未満でのその導電率は、極めて小さく、および半導体の導電率を下回っている。それゆえ、望まれない電流または信号が制限手段を通って流れるのを防止するための、追加的な保護手段は必要ではない。
【００１６】
本発明のさらに別の好ましい実施形態では、制限手段は、シリンダー状の基本的な形状を有するハウジングの内壁によって形成される。それゆえ、ハウジングは、二重機能、具体的には、例えば機械的な損傷または汚染に対して第１および第２の接続片を保護する機能、および制限手段を提供する機能を有する。このようにして、特に単純な設計を有するコネクターが提供される。
【００１７】
本発明のさらに別の好ましい実施形態では、コネクターは、内部導体および外部導体を含む。それゆえ、コネクターは、外部導体が、迷電磁放射線に対する内部導体用のシールドとして機能する同軸導体設計を有する。
【００１８】
本発明は、さらに、第１の構成部品および第２の構成部品を含むアセンブリを含み、第１の構成部品および第２の構成部品は、そのようなコネクターによって、互いに接続される。
【００１９】
好ましくは、外部導体を絶縁部に、形状ロック接続（ｆｏｒｍ−ｌｏｃｋｅｄ  ｃｏｎｎｅｃｔｉｏｎ）によって、または押圧によって、すなわちプレスばめによって、接続することも提供される。内部導体は、例えば、プレスばめによってまたは形状ロック接続によって、絶縁部に接続される。
【００２０】
さらに好ましくは、絶縁部は、内部導体を保護するかまたは「キャッチする」保護カラーを含む。
【００２１】
さらに別の好ましい実施形態によれば、第１および／または第２の接続片は、内部導体と外部導体との間の絶縁を形成する絶縁手段、およびハウジングを含む。この実施形態は、特に費用効果が高く、かつ本発明によるプラグソケットコネクターの個々の部品の数を削減する。
【００２２】
さらに別の好ましい実施形態によれば、絶縁体は、設置開口部を有する、実質的に二重の「Ｕ」字状または蛇行横断面を有する。
【００２３】
さらに別の好ましい実施形態によれば、外部導体は第１の戻り止め手段を含む。外部導体における、いずれにせよ必要とされる接触手段と、戻り止め手段との組み合わせは、部品を節約し、それゆえ特に費用効果が高いことが判明している。本発明によるコネクターの別の要素に戻り止め手段を形成することも考えられる。
【００２４】
周波数に依存して電気信号の振幅および位相位置を変更する回路は、電気工学および電気通信では、フィルターと呼ばれる。その結果、望まれない信号成分が減衰または抑制され得る。
【００２５】
さらに別の好ましい実施形態によれば、第１および／または第２の接続片は、その外部導体を介して、ソケット、特にフィルターソケットに、特に圧入されるかまたはねじ込まれて接続され得る。
【００２６】
さらに別の好ましい実施形態によれば、第１および／または第２の接続片は、外側の外部導体スリーブと内側の外部導体とを含むツーピースの外部導体を含む。ツーピースの外部導体は、特に、ソケットへの関連する接続片のネジ接続に好適である。このようにして、必要な安定性が、外部導体スリーブによって保証され得、かつしっかりした弾性接触が内側の外部導体部分によって保証され得る。
【００２７】
さらに別の好ましい実施形態によれば、第１および／または第２の接続片の中間片側の端部は、漏斗の形状に設計される。漏斗は、本発明によるコネクターに差し込むのを容易にする。これは、特に、アクセスするのが困難な領域またはシステム、例えば送信タワー（ｔｒａｎｓｍｉｔｔｅｒ  ｔｏｗｅｒ）において好都合である。
【００２８】
本発明について、添付図面を参照して、以下の記載において説明する。
【図面の簡単な説明】
【００２９】
【図１】本発明によるコネクターの一実施形態の概略的な断面図を示す。
【図２】第１の構成部品と第２の構成部品との間の接続の生成における、第１のステップを示す。
【図３】第１の構成部品と第２の構成部品との間の接続の生成における、第２のステップを示す。
【図４】第１の構成部品と第２の構成部品との間の接続の生成における、第３のステップを示す。
【図５】第１の構成部品と第２の構成部品との間の接続の生成における、第４のステップを示す。
【図６】第１の構成部品と第２の構成部品との間の接続の生成における、第５のステップを示す。
【図７】第１の構成部品と第２の構成部品との間の接続の生成における、第６のステップを示す。
【図８】本発明による接続片の概略的な断面図を示す。
【図９】本発明によるコネクターのさらに別の実施形態の概略的な断面図を示す。
【図１０】本発明によるコネクターの一実施形態の概略的な断面図を示す。
【図１１】本発明によるコネクターの一実施形態の概略的な断面図を示す。
【図１２】本発明によるコネクターの一実施形態の概略的な断面図を示す。
【図１３】本発明による中間片の概略的な断面図を示す。
【発明を実施するための形態】
【００３０】
初めに図１を参照して説明する。図１は、第１の構成部品４ａを第２の構成部品４ｂに接続して、ＨＦ信号が構成部品４ａと構成部品４ｂとの間で伝送され得るようにするコネクター２を示す。この例示的な実施形態では、コネクター２は、第１の回路基板を第２の回路基板に接続するための基板対基板用コネクターであるため、第１の回路基板４ａ上の電子部品（図示せず）および第２の回路基板４ｂ上の電子部品（図示せず）が、ＨＦ信号の交換を介して互いに通信し得るようにする。
【００３１】
このために、この例示的な実施形態では、コネクター２は、内部導体２２および外部導体２４を含み、外部導体２４は内部導体２２を遮蔽して伝送品質を高める。換言すると、コネクター２は、同心の同軸導体設計を有し、この例示的な実施形態では、内部導体２２（コアとも呼ぶ）は、中空のシリンダー状の外部導体２４によって取り囲まれている。外部導体２４は、迷電磁放射線に対して内部導体２２を遮蔽する。
【００３２】
下記でさらに説明するように、内部導体２２および外部導体２４は、第１の構成部品４ａおよび第２の構成部品４ｂのそれぞれ特定の接続部に導電接続され、かつ構成部品４ａ、４ｂにそれぞれ締結される。異なるはんだ接続部またはプレスばめ接続部が接続部として考えられる。
【００３３】
この例示的な実施形態では、コネクター２は、第１の接続片６ａ、第２の接続片６ｂ、および中間片８を含み、第１の接続片６ａおよび第２の接続片６ｂは、この例示的な実施形態では、構造的に同一である。第１の接続片６ａおよび第２の接続片６ｂはカップラーとして機能する一方で、中間片８はアダプターとして機能する。
【００３４】
２つの接続片６ａ、６ｂは、それぞれ、電気絶縁プラスチック材料を使用して射出成形されるハウジング２０を含む。ハウジング２０は、実質的にシリンダー状の基本的な形状を有し、かつ開放端面を有する。
【００３５】
この例示的な実施形態では、複数の第１の戻り止め手段１４ａ、１４ｂが、ハウジング２０の内部に配置され、それら戻り止め手段は、この例示的な実施形態では、それぞれ、弾性接触刃部によって形成され、かつ接続片戻り止め手段を形成する。第１の戻り止め手段１４ａ、１４ｂは、内部導体２２の周りに円形に配置され、かつ周方向に均一に離間している。さらに、第１の戻り止め手段１４ａ、１４ｂは、中間片８に接続している間は、半径方向外側に撓むように設計される。この場合、そのような撓む動きは、制限手段１８または停止部の機能を果たすハウジング２０の内壁によって制限される。この例示的な実施形態では、制限手段は、半径方向制限手段として設計される。
【００３６】
説明する例示的な実施形態では、２つの接続片６ａ、ｂおよび５２および５４ａ〜ｃは、戻り止め手段を含む。しかしながら、中間片８または５６は、片側にのみ第２の戻り止め手段１６を含む。図面では、戻り止め手段１４ｂは、戻り止め手段のない中間片８、５６の側に割り当てられる。その結果、戻り止め手段１４ｂは、接触手段としてのみ機能し、かつ中間片８、５６とは係合しない。それゆえ、戻り止め手段１４ｂはまた、接触手段によって置き換えられ得る。しかしながら、本発明によるコネクターの保管費用および複雑さを低く保つために、戻り止め手段１４ｂは、接触手段によって置き換えられていない。
【００３７】
さらに、内部導体レセプタクル２６ａ、２６ｂが、ハウジング２０の内部に配置され、かつ中間片８の中間導体２８のセクション−この例示的な実施形態では棒状である−を収容し、かつ例えばバネ要素を介して電気的に接続するように設計される。
【００３８】
この例示的な実施形態では、第１の戻り止め手段１４ａ、１４ｂと中間導体２８との間には絶縁部３０が配置され、それら絶縁部は、外部導体２４に対して中間導体２８を電気的に絶縁し、第１の戻り止め手段１４ａ、１４ｂは、この場合、外部導体２４のセクションを形成する。
【００３９】
この例示的な実施形態では、中間片８は、実質的にシリンダー状の基本的な形状を有する本体３２を含む。中間導体２８は、中間片８の内部に配置され、かつ内部導体２２のセクションを形成する一方、本体３２自体は、外部導体２４のセクションを形成する。
【００４０】
この例示的な実施形態では、本体３２に対して中間導体２８を電気的に絶縁する絶縁部３０は、中間導体２８と本体３２との間に配置される。
【００４１】
中間片８は、第１の端部１０および第２の端部１２を有し、第１の端部１０は第１の接続片６ａに割り当てられ、かつ第２の端部１２は第２の接続片６ｂに割り当てられる。第１の端部１０では、中間片８は、戻り止め手段がないように設計される。それゆえ、２つの戻り止め手段を互いに係合することによる、軸方向における中間導体２８の固定は、第１の端部１０では与えられない。しかしながら、第２の端部１２では、中間片８は、第２の接続片６ｂの第２の戻り止め手段１４ｂと相互作用する、すなわち、それと係合する第２の戻り止め手段１６を含んで、戻り止め接続を形成することによって、第２の接続片６ｂと中間片８との間の接続を固定する。この場合、第２の戻り止め手段１６は中間片戻り止め手段を形成する。
【００４２】
この例示的な実施形態では、第２の戻り止め手段１６は、中間片８の本体３２の外側面上の環状溝である。この例示的な実施形態では、環状溝は、中間片８の本体３２の周囲に延在する。
【００４３】
それゆえ、ＨＦ信号は、動作中、第１の構成部品４ａから、中間導体２８を経由して、すなわち、第１の接続片６ａの内部導体レセプタクル２６ａ、中間片８の中間導体２８を経由して、かつ第２の接続片６ｂの内部導体レセプタクル２６ｂを経由して、第２の構成部品６ｂに伝送され得る。
【００４４】
ＨＦ信号は、第２の構成部品４ｂから第１の構成部品４ａに戻るように伝導されることができるか、または内部導体２２は、外部導体２４を介して、すなわち、本体３２と導電接続状態にある第２の戻り止め手段１４ｂを介して、本体３２自体を介して、かつ中間片８の第２の戻り止め手段１６と係合する第１の戻り止め手段１４ａを介して、迷電磁放射線に対して遮蔽され得る。
【００４５】
ここで、さらに、図２〜図７を参照して、ＨＦ信号を伝送するための第１の構成部品４ａと第２の構成部品４ｂとの間の接続の生成について説明する。
【００４６】
第１のステップでは（図２参照）、第１の接続片６ａは、例えばはんだ付けによって第１の構成部品４ａに締結され、それにより、内部導体２２と外部導体２４との間、および第１の構成部品４ａの電気部品間に、電気接続を生成する。
【００４７】
同様に、第１のステップでは、第２の接続片６ｂは、第２の構成部品４ｂに締結され、それにより、内部導体２２と外部導体２４との間、および第２の構成部品４ｂの電気部品間に、電気接続を生成する。
【００４８】
さらに、第１のステップでは、中間片８は、第２の接続片６ｂ上に配置される。
【００４９】
第２のステップでは（図３参照）、中間片８は、第２の接続片６ｂの第１の戻り止め手段１４ｂが最大限撓まされるまで、第２の構成部品４ｂの方向に動かされ、この撓む動きは、ハウジング２０の内壁によって形成された制限手段１８によって制限される。
【００５０】
同時に、中間導体２８は、内部導体レセプタクル２６ｂと接触する。
【００５１】
第３のステップでは（図４）、中間片８は、第２の接続片６ｂに対するその端部位置に到達し、そこでは、中間導体２８の下方端部セクションは、内部導体レセプタクル２６ｂに収納されて保持される。さらに、第１の接続片６ｂの第１の戻り止め手段１４ｂは、第２の戻り止め手段１６と係合するため、接続が固定される。
【００５２】
第４のステップでは（図５）、第１の接続片６ａを含む第１の構成部品４ａは、中間片８上に配置され、かつ第１の構成部品４ａおよび第２の構成部品４ｂは、第１のステップ（図１参照）と同様に、互いの方に動かされる。
【００５３】
第５のステップでは（図６）、第２のステップ（図３参照）と同様に、中間片８は、第１の接続片６ａの第１の戻り止め手段１４ａが最大限撓まされるまで、第１の構成部品４ａの方向に動かされる。
【００５４】
第６のステップでは（図７）、中間片８は、第１の接続片６ａに対するその端部位置に到達し、そこでは、中間導体２８の上方端部セクションが、内部導体レセプタクル２６ａ内に収容されて摺動自在に保持される。
【００５５】
戻り止め手段のない、中間片８の第２の端部１０に起因して、中間導体２８の軸方向において１ｍｍの公差補償が保証される。さらに、４°または最大０．６ｍｍの半径方向公差補償が達成され得る。
【００５６】
接続片６ａ、６ｂを含む構成部品４ａ、４ｂの代わりに、代替例として、他の取付部品、例えば、キャッチ漏斗（ｃａｔｃｈ  ｆｕｎｎｅｌ）、ＥＭＣシールド、ストレートまたは角度付きケーブルコネクター、およびハウジングカップラーなども設置され得る。
【００５７】
それゆえ、接続要素は、コネクター２の形態で設けられ、これは、公差補償特性を有するにもかかわらず、製造費用効果が高いこと、単純かつそれゆえエラーを起こしにくい設計を有し、かつ設置が簡単であることによって、区別される。
【００５８】
図８は、本発明による回路基板側の接続片５２を示す。接続片５２は、ハウジング２０、外部導体２４、内部導体２２、および絶縁部３０を含む。内部導体２２は、バネケージ２６を含む。ハウジング２０は、外部絶縁手段の機能を果たし、かつ外部導体２４を保護する働きをする。前側では、ハウジング２０は、外部導体２４の前側を保護するための突出保護エッジ２１を有する。接続片５２の下面では、外部導体２４は複数のタブ８４を含み、そこで、外部導体は、回路基板に電気的にかつ機械的に接続され得る。異なるはんだ接続部またはプレスばめ接続部が接続部として考えられる。
【００５９】
絶縁部３０は、外部導体２４と内部導体２２との間に形成される。絶縁部３０は、周辺となるように設計され、かつその回路基板側の端部に複数の円形凹部２９を含む。凹部２９は、コネクターの電気収容に使用される。絶縁部３０はまた、凹部２９に隣接して設置用孔（図示せず）を有する。
【００６０】
内部導体２２は、バネケージ２６によって絶縁部３０内に保持される。バネケージ２６は、ピン５０用のレセプタクルとしての機能を果たし、かつ公差補償を保証する。バネケージ２６は、バネケージ２６と絶縁部３０との間に形状ロック接続を生成するために、波状面７２ａを有する。絶縁部は、バネケージ２６の接触刃部を保護するための、複数の絶縁チップ３１を含む。
【００６１】
外部導体２４は、複数の弾性接触刃部を含む。接触刃部の前側領域では、第１の戻り止め手段１４ａおよび１４ｂは、接触刃部の内側変形部として設計される。
【００６２】
図９は、本発明によるコネクター２ａのさらに別の実施形態を示す。コネクター２ａは、２つの回路基板（図示せず）間の基板対基板用コネクターとして設計される。しかしながら、コネクターの接続片は、他の接続片と組み合わせられ得るため、接続片５２ａまたはｂならびに中間片５６も、例えば、基板対フィルター用コネクターに使用するのに好適である。
【００６３】
コネクター２ａは、１つの回路基板側の接続片５２ａ、ｂおよび１つの中間片８を含む。接続片５２ａ、ｂは、キャッチ漏斗５８に関して異なる。この実施形態では、接続片５２ｂのみがキャッチ漏斗５８を含む。キャッチ漏斗は、アクセスすることが困難であるシステムにおいて、差し込まれる部分を見つけるのを簡単にする。例えば、伝送タワーへの設置中にプラグコネクターを見つける改良型の方法が好都合である。
【００６４】
接続片５２ａ、ｂはまた、外側ハウジングまたは外部絶縁手段、ならびに内部導体と外部導体との間の内部絶縁部を同時に形成する絶縁手段７４を含む。絶縁手段７４は、設置開口部７６を含む蛇行形状または二重の「Ｕ」字形状を有するように設計される。二重の「Ｕ」字形状は、内部導体２２が配置される内側の膨らみを有する。内側の膨らみのチップは、その前側に、内部導体２２、または内部導体２２を保持するバネケージ２６を保護するための絶縁チップ３１を含む。その結果、絶縁手段７４の内部導体２２と外部導体２４との間の領域は、絶縁部３０を形成する。二重の「Ｕ」字形状の絶縁手段の外壁は、絶縁外側ハウジング２０または外部絶縁部を形成する。設置開口部７６は、絶縁手段７４の内側領域と外側領域との間に見えている。その結果、当業者は、「蛇行または二重の『Ｕ』字形状の」という用語は、高い領域および低い領域を有し、開口部も含み得る形状であると、理解する。絶縁手段７４は、形状ロック接続部８２によって外部導体２４に接続される。あるいは、接続はまた、力でロックする接続、例えば、プレスばめによって生成され得る。開口部７６の後ろ側では、形状ロック接続部８６は、外部導体２４と絶縁手段７４との間のさらなる接続部を形成する。
【００６５】
接続片５２ａ、ｂの下面では、外部導体はタブ８４を含み、それを介して、外部導体は回路基板にはんだ付けされ得る。
【００６６】
内部導体は、電気接続の機能を果たすタブ８０を含む。
【００６７】
図１０〜１２は、下記で重複するように説明される。図１０〜１２は、本発明による基板対フィルター接続の異なる実施形態４４ａ、ｂ、ｃをそれぞれ示す。
【００６８】
コネクター４４ａ、ｂ、ｃは、それぞれ、図８を参照して上述したタイプの回路基板側の接続片５２を含む。接続片は、回路基板４０にはんだ付けされる。さらに、コネクター４４ａ、ｂ、ｃは、フィルター側接続片５４ａ、ｂ、ｃをそれぞれ含む。フィルター側接続片５４ａ、ｂ、ｃは、いずれの場合も、フィルターハウジング４８の孔内でフィルター４２に接続される。
【００６９】
図１０では、フィルター側接続片５４ａは、外部導体２４および絶縁ディスク４６を含む。接続片５４ａは、フィルターハウジング４８と一緒に押圧される。
【００７０】
接続片５４ａの外部導体２４は、接触手段としてのみ機能する第１の戻り止め手段１４ｂを含む。中間片５６は、フィルター側に第２の戻り止め手段を有しない。
【００７１】
コネクター４４ａの接続片５４ａおよび５２は、中間片５６を介して接続される。中間片５６は、半径方向に保持されかつフィルター側および回路基板側に戻り止め手段１４ａ、ｂによって接続される。回路基板側では、中間片５６は、第２の戻り止め手段１６を形成する段を有する。段は、中間片５６が接続片５２から抜けるのを防止する。中間片５６のフィルター側接触刃部６２は、フィルター４２の接続ピン５０を収容する。
【００７２】
図１０と同様に、図１１は、フィルター４２と一緒に押圧される接続片５４ｂを含むコネクター４４ｂを示す。図１１のコネクター４４ｂは、キャッチ漏斗５８に関して、図１０のコネクター４４ａとは異なる。キャッチ漏斗は、絶縁ディスク４６に締結され、かつ接続片５４ｂ内への中間片５６の挿入を容易にする。
【００７３】
図１２は、コネクター４４ａ、ｂと同様のコネクター４４ｃのさらに別の実施形態を示す。コネクター４４ｃは、ツーピースの外部導体を含む接続片５４ｃを含む。ツーピースの外部導体は、外部導体スリーブ６８および内側の外部導体２４を含む。外部導体スリーブ６８はネジ山付き段７０を含み、そこで、外部導体スリーブ６８がフィルターハウジング４８内の孔にねじ込まれる。フィルターハウジング４８内の孔は、外部導体スリーブ６８に対応する内部輪郭を有する。外部導体スリーブは、形態ロック式に内側の外部導体２４に接続される。前側では、外部導体スリーブ６８はキャッチ漏斗５８を含む。
【００７４】
図１３は、基板対フィルター用コネクター４４ａ、ｂ、ｃ用の、本発明による中間片５６を示す。中間片５６は、その回路基板側の端部で、露出したピンとして設計される内部導体６０を含む。中間片５６はまた、中間片５６のハウジングを同時に形成する外部導体６６を含む。外部導体６６内に内部導体６０を保持する絶縁部６４は、外部導体６６と内部導体６０との間に形成される。内部導体６０のフィルター側の端部において、この内部導体はバネケージ６２を含む。バネケージ６２は、１つの領域に波状面７２ｂを有し、これは、バネケージ６２と内部導体６０との間、およびバネケージ６２と絶縁部６４との間に形状ロック接続をもたらす。バネケージ６２は、公差補償を保証し、かつプラグコネクターを見つけるのを支援し、フィルター側ピンがバネケージ６２の接触刃部内に挿入されるようにする。
【００７５】
絶縁部は、そのフィルター側の端部に、接触刃部を保護するための突出壁を形成する。
【符号の説明】
【００７６】
２  コネクター
２ａ  コネクター
４ａ  構成部品
４ｂ  構成部品
６ａ  接続片
６ｂ  接続片
８  中間片
１０  第１の端部
１２  第２の端部
１４ａ  第１の戻り止め手段
１４ｂ  第１の戻り止め手段
１６  第２の戻り止め手段
１８  制限手段
２０  ハウジング
２２  内部導体
２４  外部導体
２６  バネケージ
２６ａ  内部導体レセプタクル
２６ｂ  内部導体レセプタクル
２８  中間導体
２９  凹部
３０  絶縁部
３１  絶縁チップ
３２  本体
４０  回路基板
４２  フィルター
４４ａ  コネクター
４４ｂ  コネクター
４４ｃ  コネクター
４６  絶縁ディスク
４８  フィルターハウジング
５０  ピン
５２  接続片
５２ａ  接続片
５２ｂ  接続片
５４ａ  接続片
５４ｂ  接続片
５４ｃ  接続片
５６  中間片
５８  キャッチ漏斗
６０  内部導体
６２  バネケージ
６４  絶縁部
６６  ハウジング
６８  外部導体スリーブ
７０  ネジ山付き段
７２ａ  波状面
７２ｂ  波状面
７４  絶縁手段
７６  開口部
７８  保護領域
８０  タブ
８２  形状ロック接続
８４  保持手段
８６  形状ロック接続
８８  フィルター内部導体
【図１】
2018534733.tif 000003
【図２】
2018534733.tif 000004
【図３】
2018534733.tif 000005
【図４】
2018534733.tif 000006
【図５】
2018534733.tif 000007
【図６】
2018534733.tif 000008
【図７】
2018534733.tif 000009
【図８】
2018534733.tif 000010
【図９】
2018534733.tif 000011
【図１０】
2018534733.tif 000012
【図１１】
2018534733.tif 000013
【図１２】
2018534733.tif 000014
【図１３】
2018534733.tif 000015
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
第１の構成部品に締結するための第１の接続片；
第２の構成部品に締結するための第２の接続片；および
前記第１の接続片に接続するための第１の端部と、前記第２の接続片に接続するための第２の端部とを含む中間片
を含み、
前記第１の接続片および前記第２の接続片のうちの少なくとも一方は、第１の戻り止め手段を含み、前記第１の端部は、戻り止め手段がなく、かつ前記第２の端部は、前記第１の戻り止め手段と相互作用するための第２の戻り止め手段を含む、コネクター。
【請求項２】
前記第２の戻り止め手段が、前記中間片の外側面に環状溝を含む、請求項１に記載のコネクター。
【請求項３】
前記第１の戻り止め手段が弾性接触刃部を含む、請求項１または２に記載のコネクター。
【請求項４】
前記第１の接続片および前記第２の接続片のうちの少なくとも一方が、前記第１の戻り止め手段の撓む動きを制限するための制限手段を含む、請求項１〜３のいずれか１項に記載のコネクター。
【請求項５】
前記制限手段が電気絶縁材料から製造されている、請求項４に記載のコネクター。
【請求項６】
前記制限手段が、シリンダー状の基本的な形状を有するハウジングの内壁によって形成されている、請求項４または５に記載のコネクター。
【請求項７】
前記コネクターが、内部導体および外部導体を含み、前記第１の接続片および前記第２の接続片のうちの少なくとも一方は、前記内部導体と前記外部導体との間に絶縁部を形成する絶縁手段と、ハウジングとを含む、請求項１〜６のいずれか１項に記載のコネクター。
【請求項８】
前記絶縁部が、開口部を含む、実質的に蛇行する横断面を有する、請求項７に記載のコネクター。
【請求項９】
前記外部導体が第１の戻り止め手段を含む、請求項７または８に記載のコネクター。
【請求項１０】
前記第１の接続片および前記第２の接続片のうちの少なくとも一方が、その外部導体において、ソケット、特にフィルターソケットを接続する、請求項１〜９のいずれか１項に記載のコネクター。
【請求項１１】
前記第１の接続片および前記第２の接続片の外部導体が、ソケット内に圧入されているかまたはねじ込まれている、請求項１〜１０のいずれか１項に記載のコネクター。
【請求項１２】
前記第１の接続片および前記第２の接続片のうちの少なくとも一方が、外側の外部導体スリーブと内側の外部導体とを含むツーピースの外部導体を含む、請求項１〜１１のいずれか１項に記載のコネクター。
【請求項１３】
前記第１の接続片および前記第２の接続片のうちの少なくとも一方の中間片側の端部が、漏斗の形状であり、前記第１の接続片および前記第２の接続片のうちの少なくとも一方は、特に、キャッチ漏斗を含む、請求項１０または１１に記載のコネクター。
【請求項１４】
前記コネクターは、前記第１の構成部品と前記第２の構成部品との間で無線周波数信号を伝送する、請求項１から１３のいずれか１項に記載のコネクター。
【請求項１５】
第１の構成部品および第２の構成部品を含むアセンブリであって、前記第１の構成部品および前記第２の構成部品は、請求項１〜１４のいずれか１項に記載のコネクターによって互いに接続されている、アセンブリ。
【請求項１６】
前記第１の構成部品が回路基板であり、かつ前記第２の構成部品がフィルターまたは回路基板である、請求項１５に記載のアセンブリ。
【手続補正２】
【補正対象書類名】明細書
【補正対象項目名】００４３
【補正方法】変更
【補正の内容】
【００４３】
それゆえ、ＨＦ信号は、動作中、第１の構成部品４ａから、中間導体２８を経由して、すなわち、第１の接続片６ａの内部導体レセプタクル２６ａ、中間片８の中間導体２８を経由して、かつ第２の接続片６ｂの内部導体レセプタクル２６ｂを経由して、第２の構成部品４ｂに伝送され得る。
【手続補正３】
【補正対象書類名】明細書
【補正対象項目名】００５５
【補正方法】変更
【補正の内容】
【００５５】
戻り止め手段のない、中間片８の第１の端部１０に起因して、中間導体２８の軸方向において１ｍｍの公差補償が保証される。さらに、４°または最大０．６ｍｍの半径方向公差補償が達成され得る。
【手続補正４】
【補正対象書類名】明細書
【補正対象項目名】００７５
【補正方法】変更
【補正の内容】
【００７５】
絶縁部は、そのフィルター側の端部に、接触刃部を保護するための突出壁を形成する。
［項目１］
２つの構成部品（４ａ、４ｂ）のＨＦ信号伝送接続用のコネクター（２、２ａ、４４ａ、４４ｂ、４４ｃ）であって、
上記第１の構成部品（４ａ）に締結するための第１の接続片（６ａ）；
上記第２の構成部品（４ｂ）に締結するための第２の接続片（６ｂ）；および
上記第１の接続片（６ａ）に接続するための第１の端部（１０）と、上記第２の接続片（６ｂ）に接続するための第２の端部（１２）とを含む中間片（８、５６）
を含み、
上記接続を固定するための戻り止め接続を形成するために、上記第１の接続片（６ａ）および／または上記第２の接続片（６ｂ）は、それぞれ、第１の戻り止め手段（１４ａ、１４ｂ）を含み、上記第１の端部（１０）は、戻り止め手段がないように設計され、かつ上記第２の端部（１２）は、上記第１の戻り止め手段（１４ａ、１４ｂ）と相互作用するように設計されている第２の戻り止め手段（１６）を含む、コネクター。
［項目２］
上記第２の戻り止め手段（１６）が、上記中間片（８、５６）の外側面に環状溝を含む、項目１に記載のコネクター（２、２ａ、４４ａ、４４ｂ、４４ｃ）。
［項目３］
上記第１の戻り止め手段（１４ａ、１４ｂ）が弾性接触刃部を含む、項目１または２に記載のコネクター（２、２ａ、４４ａ、４４ｂ、４４ｃ）。
［項目４］
上記第１の接続片（６ａ）および／または上記第２の接続片（６ｂ）が、上記第１の戻り止め手段（１４ａ、１４ｂ）の撓む動きを制限する制限手段（１８）を含む、項目１〜３のいずれか１項に記載のコネクター（２、２ａ、４４ａ、４４ｂ、４４ｃ）。
［項目５］
上記制限手段（１８）が電気絶縁材料から製造されている、項目４に記載のコネクター（２、２ａ、４４ａ、４４ｂ、４４ｃ）。
［項目６］
上記制限手段（１８）が、シリンダー状の基本的な形状を有するハウジング（２０）の内壁によって形成されている、項目４または５に記載のコネクター（２、２ａ、４４ａ、４４ｂ、４４ｃ）。
［項目７］
上記コネクター（２、２ａ、４４ａ、４４ｂ、４４ｃ）が、内部導体（２２）および外部導体（２４）を含み、上記第１および／または上記第２の接続片（５２ａ、ｂ）は、上記内部導体と上記外部導体との間に絶縁部（３０）を形成する絶縁手段（７４）と、ハウジング（２０）とを含む、項目１〜６のいずれか１項に記載のコネクター（２ａ）。
［項目８］
上記絶縁体が、開口部（７６）を含む、実質的に蛇行する横断面を有する、項目７に記載のコネクター（２ａ）。
［項目９］
上記外部導体（２４）が第１の戻り止め手段（１４ａ、１４ｂ）を含む、項目１〜８のいずれか１項に記載のコネクター（２、２ａ、４４ａ、４４ｂ、４４ｃ）。
［項目１０］
上記第１および／または上記第２の接続片が、その外部導体において、ソケット、特にフィルターソケットに接続され得る、項目１〜９のいずれか１項に記載のコネクター（２、２ａ、４４ａ、４４ｂ、４４ｃ）。
［項目１１］
上記接続片（５４ａ、ｂ）の上記外部導体（２４）が、上記ソケット内に圧入されているかまたはねじ込まれている、項目１〜１０のいずれか１項に記載のコネクター（２、２ａ、４４ａ、４４ｂ、４４ｃ）。
［項目１２］
上記第１および／または上記第２の接続片が、外側の外部導体スリーブ（６８）と内側の外部導体（２４）とを含むツーピースの外部導体を含む、項目１〜１１のいずれか１項に記載のコネクター（２、２ａ、４４ａ、４４ｂ、４４ｃ）。
［項目１３］
上記第１および／または上記第２の接続片の中間片側の端部が、漏斗の形状に設計されていて、上記接続片は、特に、キャッチ漏斗（５８）を含む、項目１０または１１に記載のコネクター（２、２ａ、４４ａ、４４ｂ、４４ｃ）。
［項目１４］
第１の構成部品（４ａ）および第２の構成部品（４ｂ）を含むアセンブリであって、上記第１の構成部品（４ａ）および上記第２の構成部品（４ｂ）は、項目１〜１３のいずれか１項に記載のコネクター（２、２ａ、４４ａ、４４ｂ、４４ｃ）によって互いに接続されている、アセンブリ。
［項目１５］
上記第１の構成部品が回路基板として設計され、かつ上記第２の構成部品がフィルターまたは回路基板として設計されている、項目１４に記載のアセンブリ。
【手続補正５】
【補正対象書類名】明細書
【補正対象項目名】００７６
【補正方法】変更
【補正の内容】
【００７６】
２  コネクター
２ａ  コネクター
４ａ  構成部品
４ｂ  構成部品
６ａ  接続片
６ｂ  接続片
８  中間片
１０  第１の端部
１２  第２の端部
１４ａ  第１の戻り止め手段
１４ｂ  第１の戻り止め手段
１６  第２の戻り止め手段
１８  制限手段
２０  ハウジング
２２  内部導体
２４  外部導体
２６  バネケージ
２６ａ  内部導体レセプタクル
２６ｂ  内部導体レセプタクル
２８  中間導体
２９  凹部
３０  絶縁部
３１  絶縁チップ
３２  本体
４０  回路基板
４２  フィルター
４４ａ  コネクター
４４ｂ  コネクター
４４ｃ  コネクター
４６  絶縁ディスク
４８  フィルターハウジング
５０  ピン
５２  接続片
５２ａ  接続片
５２ｂ  接続片
５４ａ  接続片
５４ｂ  接続片
５４ｃ  接続片
５６  中間片
５８  キャッチ漏斗
６０  内部導体
６２  バネケージ
６４  絶縁部
６６  外部導体
６８  外部導体スリーブ
７０  ネジ山付き段
７２ａ  波状面
７２ｂ  波状面
７４  絶縁手段
７６  開口部
８０  タブ
８２  形状ロック接続部
８４  タブ
８６  形状ロック接続部
【国際調査報告】
2018534733.tif 000016
2018534733.tif 000017
2018534733.tif 000018
2018534733.tif 000019
2018534733.tif 000020
2018534733.tif 000021